(57)【要約】【課題】二枚の扉要素を具備した態様において、二枚の扉要素を簡単に組み付けでき、かつ、一体感のある開閉操作性を確保する。【解決手段】開閉扉１０は、扉開口１２縁部に装着される回転軸１と、この回転軸１に固定されて回転軸と共に回転する扉基材２と、この扉基材２の外側に固定される扉外装材３と、前記回転軸１から離間した部位にて前記扉基材２に対して扉外装材３を位置決めする複数の位置決め部４と、前記回転軸１に対して複数の位置決め部４よりも離間して設けられ且つ前記扉基材４に対して扉外装材４を止め具にて固定する複数の固定部５と、前記回転軸１からの位置が前記位置決め部４に比べて固定部５寄りになるように前記扉外装材３に設けられる開閉用把手６とを備える。この開閉扉を備えた装置筐体、画像形成装置をも対象とする。【選択図】図１
2011022521.tif 000002
【特許請求の範囲】
【請求項１】
装置筐体に開設される扉開口を開閉する開閉扉であって、
前記扉開口縁部に装着される回転軸と、
この回転軸に固定されて回転軸と共に回転する扉基材と、
この扉基材の外側に固定される扉外装材と、
前記回転軸から離間した部位にて前記扉基材に対して扉外装材を位置決めする複数の位置決め部と、
前記回転軸に対して複数の位置決め部よりも離間して設けられ且つ前記扉基材に対して扉外装材を止め具にて固定する複数の固定部と、
前記回転軸からの位置が前記位置決め部に比べて固定部寄りになるように前記扉外装材に設けられる開閉用把手とを備えたことを特徴とする開閉扉。
【請求項２】
請求項１記載の開閉扉において、
開閉用把手は前記回転軸からの位置が固定部位置を含むように設定されていることを特徴とする開閉扉。
【請求項３】
請求項１記載の開閉扉において、
開閉用把手は前記回転軸からの位置が固定部と位置決め部との間に設定されていることを特徴とする開閉扉。
【請求項４】
請求項１ないし３いずれかに記載の開閉扉において、
位置決め部は、扉基材又は扉外装材のいずれか一方に扉面方向に沿って延びる位置決め爪を設け、他方には前記位置決め爪が挿入される位置決め孔を設けたものであることを特徴とする開閉扉。
【請求項５】
請求項３記載の開閉扉において、
扉基材及び扉外装材のうち前記回転軸からの位置が固定部と位置決め部との間には、扉基材に対する扉外装材の浮き上がりを規制する補助規制部を設けたものであることを特徴とする開閉扉。
【請求項６】
請求項４記載の開閉扉において、
扉基材と扉開口縁部との間には開度調整部材が連結されており、この開度調整部材の扉基材との連結部位は回転軸に対する位置が位置決め部よりも離間していることを特徴とする開閉扉。
【請求項７】
扉開口と、この扉開口を開閉する請求項１ないし６いずれかに記載の開閉扉とを備えたことを特徴とする装置筐体。
【請求項８】
請求項７記載の装置筐体と、
この装置筐体内に内蔵される画像形成要素とを備えたことを特徴とする画像形成装置。
【請求項９】
請求項８記載の画像形成装置において、
開閉扉は、扉外装材よりも大きな扉基材を有し、かつ、前記扉外装材が扉基材と色相の相違する特定色に着色されているものであることを特徴とする画像形成装置。
【発明の詳細な説明】
【技術分野】
【０００１】
本発明は、開閉扉及びこれを用いた装置筐体、画像形成装置に関する。
【背景技術】
【０００２】
従来における画像形成装置としては例えば特許文献１記載のものが既に提供されている。
特許文献１は、スキャナ部と本体ハウジング部との間に排出機能を有し、スキャナ部と本体ハウジングとの間に第１支柱部、第２支柱部を有する態様で、本体ハウジング部の前方に前カバーを設けた構造である。
【先行技術文献】
【特許文献】
【０００３】
【特許文献１】特開２００２−２８７４５０号公報(発明の実施の形態，図１)
【発明の概要】
【発明が解決しようとする課題】
【０００４】
本発明は、二枚の扉要素を具備した態様において、二枚の扉要素を簡単に組み付けでき、かつ、一体感のある開閉操作性を確保することが可能な開閉扉及びこれを用いた装置筐体、画像形成装置を提供することである。
【課題を解決するための手段】
【０００５】
請求項１に係る発明は、装置筐体に開設される扉開口を開閉する開閉扉であって、前記扉開口縁部に装着される回転軸と、この回転軸に固定されて回転軸と共に回転する扉基材と、この扉基材の外側に固定される扉外装材と、前記回転軸から離間した部位にて前記扉基材に対して扉外装材を位置決めする複数の位置決め部と、前記回転軸に対して複数の位置決め部よりも離間して設けられ且つ前記扉基材に対して扉外装材を止め具にて固定する複数の固定部と、前記回転軸からの位置が前記位置決め部に比べて固定部寄りになるように前記扉外装材に設けられる開閉用把手とを備えたことを特徴とする開閉扉である。
請求項２に係る発明は、請求項１に係る開閉扉において、開閉用把手は前記回転軸からの位置が固定部位置を含むように設定されていることを特徴とする開閉扉である。
請求項３に係る発明は、請求項１に係る開閉扉において、開閉用把手は前記回転軸からの位置が固定部と位置決め部との間に設定されていることを特徴とする開閉扉である。
請求項４に係る発明は、請求項１ないし３いずれかに係る開閉扉において、位置決め部は、扉基材又は扉外装材のいずれか一方に扉面方向に沿って延びる位置決め爪を設け、他方には前記位置決め爪が挿入される位置決め孔を設けたものであることを特徴とする開閉扉である。
請求項５に係る発明は、請求項３に係る開閉扉において、扉基材及び扉外装材のうち前記回転軸からの位置が固定部と位置決め部との間には、扉基材に対する扉外装材の浮き上がりを規制する補助規制部を設けたものであることを特徴とする開閉扉である。
請求項６に係る発明は、請求項４に係る開閉扉において、扉基材と扉開口縁部との間には開度調整部材が連結されており、この開度調整部材の扉基材との連結部位は回転軸に対する位置が位置決め部よりも離間していることを特徴とする開閉扉である。
請求項７に係る発明は、扉開口と、この扉開口を開閉する請求項１ないし６いずれかに記載の開閉扉とを備えたことを特徴とする装置筐体である。
請求項８に係る発明は、請求項７に係る装置筐体と、この装置筐体内に内蔵される画像形成要素とを備えたことを特徴とする画像形成装置である。
請求項９に係る発明は、請求項８に係る画像形成装置において、開閉扉は、扉外装材よりも大きな扉基材を有し、かつ、前記扉外装材が扉基材と色相の相違する特定色に着色されているものであることを特徴とする画像形成装置である。
【発明の効果】
【０００６】
請求項１に係る発明によれば、二枚の扉要素を具備した態様において、二枚の扉要素を簡単に組み付けでき、かつ、一体感のある開閉操作性を確保することができる。
請求項２に係る発明によれば、開閉用把手が扉要素の固定部位置から離間配置される態様に比べて、開閉用把手操作時における扉基材に対する扉外装材の浮き上がりを有効に回避することができる。
請求項３に係る発明によれば、開閉用把手が扉要素の位置決め部位置寄りに配置される態様に比べて、開閉用把手操作時における扉基材に対する扉外装材の浮き上がりを有効に回避することができる。
請求項４に係る発明によれば、扉基材に対して扉外装材を扉要素の厚さ方向に対して位置決めする態様に比べて、扉基材に対する扉外装材の位置決めを容易に実施することができる。
請求項５に係る発明によれば、開閉用把手のレイアウトの自由度を確保しながら、開閉用把手操作時における扉基材に対する扉外装材の浮き上がりを有効に回避することができる。
請求項６に係る発明によれば、開閉扉の扉基材と扉外装材との位置決め部の外れを有効に回避することができる。
請求項７に係る発明によれば、二枚の扉要素を具備した開閉扉において、二枚の扉要素を簡単に組み付けでき、かつ、一体感のある開閉操作性を確保することが可能な装置筐体を構築することができる。
請求項８に係る発明によれば、二枚の扉要素を具備した開閉扉において、二枚の扉要素を簡単に組み付けでき、かつ、一体感のある開閉操作性を確保することが可能な装置筐体を使用した画像形成装置を容易に構築することができる。
請求項９に係る発明によれば、二枚の扉要素による開閉扉に対して色相の異なるデザインを付与することが可能な画像形成装置を構築することができる。
【図面の簡単な説明】
【０００７】
【図１】で(ａ)は本発明が適用される画像形成装置の実施の形態の概要を示す説明図、(ｂ)は(ａ)の画像形成装置の装置筐体及びこの装置筐体に設けられる開閉扉を示す説明図ある。
【図２】実施の形態１に係る画像形成装置の全体構成を示す斜視図である。
【図３】実施の形態１の前方側の開閉扉を開放した状態を示す説明図である。
【図４】実施の形態１に係る画像形成装置の画像形成要素を示す説明図である。
【図５】実施の形態１で用いられる装置筐体の要部を示す説明図である。
【図６】(ａ)は実施の形態１の特定色の外装カバーの隙間処理１を示す説明図、(ｂ)は特定色の外装カバーの隙間処理２を示す説明図、(ｃ)は実施の形態１の非特定色の外装カバーの隙間処理３を示す説明図である。
【図７】(ａ)は実施の形態１の特定色の外装カバーの止め具処理１を示す説明図、(ｂ)は特定色の外装カバーの止め具処理２を示す説明図、(ｃ)は実施の形態１の非特定色の外装カバーの止め具処理３を示す説明図である。
【図８】(ａ)は実施の形態１における前方側の開閉扉を外側から見た説明図、(ｂ)は前記開閉扉を内側から見た矢視図である。
【図９】図８(ａ)に示す開閉扉を分解した説明図である。
【図１０】図８(ｂ)に示す開閉扉を分解した説明図である。
【図１１】(ａ)は実施の形態２における前方側の開閉扉を外側から見た説明図、(ｂ)は前記開閉扉を内側から見た矢視図である。
【図１２】図１１(ａ)に示す開閉扉を分解した説明図である。
【図１３】図１１(ｂ)に示す開閉扉を分解した説明図である。
【発明を実施するための形態】
【０００８】
◎実施の形態の概要
先ず、本発明が適用される画像形成装置の実施の形態の概要を図１(ａ)に基づいて説明ずる。
同図において、画像形成装置は、装置筐体１１と、この装置筐体１１内に内蔵される画像形成要素１３とを備えている。ここでいう画像形成要素１３としては、記録材１４へ画像を形成する作像要素１３ａや、記録材１４へ形成すべき原稿画像を読み取る画像読取要素１３ｂが挙げられる。
そして、本例では、図１(ａ)(ｂ)に示すように、装置筐体１１に開設された扉開口１２を開閉する開閉扉１０が設けられている。
ここで、開閉扉１０は、図１(ｂ)に示すように、前記扉開口１２縁部に装着される回転軸１と、この回転軸１に固定されて回転軸と共に回転する扉基材２と、この扉基材２の外側に固定される扉外装材３と、前記回転軸１から離間した部位にて前記扉基材２に対して扉外装材３を位置決めする複数の位置決め部４と、前記回転軸１に対して複数の位置決め部４よりも離間して設けられ且つ前記扉基材２に対して扉外装材３を止め具にて固定する複数の固定部５と、前記回転軸１からの位置が前記位置決め部４に比べて固定部５寄りになるように前記扉外装材３に設けられる開閉用把手６とを備えている。
【０００９】
このような技術的手段において、回転軸１は水平方向、鉛直方向いずれの方向に延びるものでもよい。また、扉要素としては、扉基材２と、扉外装材３とを有していればよく、両者は相違しない色相でもよいし、デザイン的な観点から色相の相違する色を用いるようにしてもよい。更に、位置決め部４は扉基材２と扉外装材３とを位置決めする機能を有していればよく、位置決め箇所としては複数あることを要する。更にまた、固定部５は扉基材２と扉外装材３とを固定する機能を有していればよく、固定箇所としては複数あることを要する。また、開閉用把手６は開閉扉１０を開閉操作するための把手であり、少なくとも１箇所設けるようにすればよい。
【００１０】
また、本実施の形態において、開閉用把手６の代表的態様としては、前記回転軸１からの位置が固定部５位置を含むように設定されている態様や、前記回転軸１からの位置が固定部５と位置決め部４との間に設定されている態様が挙げられる。
更に、位置決め部４の代表的態様としては、扉基材２又は扉外装材３のいずれか一方に扉面方向に沿って延びる位置決め爪を設け、他方には前記位置決め爪が挿入される位置決め孔を設けた態様が挙げられる。本態様では、扉基材２に対して扉外装材３を位置決めするときには、扉基材２の面方向に沿って扉外装材３を移動させるようにすればよい。
更にまた、回転軸１の位置が固定部５と位置決め部４との間に開閉用把手６が設けられる態様では、扉基材２及び扉外装材３のうち前記回転軸１からの位置が固定部５と位置決め部４との間には、扉基材２に対する扉外装材３の浮き上がりを規制する補助規制部を設ける態様が好ましい。
また、上述した好ましい位置決め部４を備えている態様では、扉基材２と扉開口１２縁部との間には開度調整部材が連結されており、この開度調整部材の扉基材２との連結部位は回転軸１に対する位置が位置決め部４よりも離間している態様が好ましい。本態様では、開閉扉１０開放時に扉基材２が開度調整部材の引っ張り作用により位置決め部４が食い込む方向に引っ張られる。
【００１１】
次に、図面に示す実施の形態に基づいて本発明を更に詳細に説明する。
◎実施の形態１
図２は実施の形態１に係る画像形成装置の全体構成を示す斜視図である。
同図において，画像形成装置２０は画像形成要素を内蔵する装置筐体２１を有し、画像形成要素には、記録材に画像を形成する作像要素と、記録材に形成すべき原稿画像を読み取る画像読取要素とを含む。
本実施の形態では、作像要素は、図４に示すように、複数の色成分画像を電子写真方式にて形成する画像形成部３０(具体的には３０ａ〜３０ｄ)と、この画像形成部３０にて形成された画像を記録材に転写する前に一時的に転写する例えばベルト状の中間転写体４０と、この中間転写体４０上に転写された各色成分画像を記録材に転写する一括転写装置５０とを備え、画像形成部３０の下方に配設した記録材供給装置６０から供給された記録材を略鉛直方向に延びる搬送経路６１中の搬送ロール６２によって搬送し、一括転写装置５０の転写部位にて記録材に対し中間転写体４０上の画像を一括転写し、搬送経路６１の下流側に設けられた定着装置７０にて記録材上の画像を定着し、記録材収容部２４の直前に配設された排出ロール６３にて後述する記録材収容部２４内に記録材を排出するようにしたものである。
【００１２】
ここで、画像形成部３０(３０ａ〜３０ｄ)は、例えばドラム状の感光体３１と、この感光体３１を帯電する帯電器３２と、帯電された感光体３１上に光による静電潜像を書き込むレーザ走査装置等の露光器３３と、感光体３１上に形成された静電潜像を所定の色成分トナーにて現像する現像器３４と、感光体３１上の現像像を中間転写体４０に転写させる転写器３５と、感光体３１上の残留トナーを清掃する清掃器３６とを備えている。
尚、符号３８(３８ａ〜３８ｄ)は各画像形成部３０の現像器３４に各色成分トナーを補給するためのトナー補給器である。また、本例では、露光器３３は各画像形成部３０(３０ａ〜３０ｄ)毎に設けても差し支えないが、本例では全ての画像形成部３０に対して共用されるようになっている。
また、本実施の形態において、中間転写体４０は複数の張架ロール４１〜４４に掛け渡され、例えば張架ロール４１を駆動ロールとして循環回転するものである。尚、符号４５は中間転写体４０の搬送方向のうち一括転写装置５０の下流側に設けられて中間転写体４０上の残留トナーを清掃する中間清掃器である。
更に、一括転写装置５０は例えば中間転写体４０の張架ロール４２を対向ロールとし、対向ロールとの間で中間転写体４０を挟む一括転写ロール５１を有し、この一括転写ロール５１と張架ロール４２からなる対向ロールとの間に転写電圧印加に伴う転写電界を形成するようにしたものである。
また、画像読取要素としては、読取原稿を載せる原稿台８１を有し、この原稿台８１上の原稿を画像読取器(スキャナ)８２にて読取り、図示外の画像処理部を経て露光器３３に各色成分毎の画像信号が供給されるようになっている。
尚、符号８５は原稿台８１上に原稿を自動供給する自動原稿供給装置である。
【００１３】
また、本実施の形態では、装置筐体２１は、図２及び図３に示すように、図示外の記録材へ画像を形成する作像要素が内蔵される下部装置筐体２２と、図示外の記録材へ形成すべき原稿画像を読み取る画像読取要素が内蔵される上部装置筐体２３と、下部装置筐体２２及び上部装置筐体２３の間に設けられ、下部装置筐体２２内の作像要素にて画像が形成された記録材を収容する記録材収容部２４とを備えている。そして、下部装置筐体２２の前方側には開閉扉２５が設けられている。
更に、装置筐体２１は、当該装置筐体２１の枠組となるＳＵＳやアルミニウム等の金属製素材からなる筐体枠１００(図６参照)と、この筐体枠１００の外側に固定される外装カバー(外装覆い)１１０とを備えている。
本実施の形態では、外装カバー１１０は、図２，図３及び図５に示すように、筐体枠１００の色相と異なる特定色の(例えば青)を有する特定色の外装カバー１１１と、この特定色の外装カバー１１１とは別に筐体枠１００と相違しない色相を有する非特定色の外装カバー１１２とを備えている。
【００１４】
特に、本実施の形態では、特定色の外装カバー１１１の有する特定色は、マンセル濃度で筐体枠１００の濃度よりも３以上異なるものであり、非特定色の外装カバー１１２に比べて色彩的に目立つ存在になっている。
ここで、特定色の外装カバー１１１は、筐体枠１００と色相の相違する特定色を有する外装覆いを指し、‘色相の相違する’は外装カバー１１０の隙間から筐体枠１００を覗かせたときに、外装カバー１１０の隙間から見える筐体枠１００を見た人が、外装カバー１１０と筐体枠１００との色相の違いを気になるか否かに応じて適宜決定される。
また、本例では、外装カバー１１０と筐体枠１００とをそれぞれマンセル・カラー・システムの色の三属性（色相、明度、彩度）で表現した場合に、色相、明度、彩度各々の差が３以上である場合には特定色の外装カバー１１１であるとし、２以下である場合には非特定色の外装カバー１１２であるとすることが考えられる。また、均等色空間上における空間上の距離がＬ＊ａ＊ｂ表色系を用いて表現した場合に、ΔＥ＝〔(ΔＬ)*２＋(Δ*ａ)*２＋(Δ*ａ)*２〕１／２が１０程度以上ある場合には特定色の外装カバー１１１であるとすることが考えられる。
【００１５】
本実施の形態において、特定色の外装カバー１１１は、本例では、記録材収容部２４及びその周辺を囲むように配置されており、この特定色の外装カバー１１１の周囲に非特定色の外装カバー１１２が配置されており、これらの外装カバー(特定色の外装カバー１１１，非特定色の外装カバー１１２)はいずれも止め具を用いて筐体枠１００に固定されている。
但し、特定色の外装カバー１１１の取付構造は、非特定色の外装カバー１１２の取付構造と若干異なるものになっている。
以下、特定色の外装カバー１１１及び非特定色の外装カバー１１２の取付構造について説明する。
(１)隙間処理１
特定色の外装カバー１１１としては、図５及び図６(ａ)に示すように、装置筐体２１のある一面に対し複数の覆い部材１２１，１２２を隣接配置することがある。
このとき、本実施の形態では、特定色の外装カバー１１１の覆い部材１２１，１２２には両者の隣接部位において相手側の覆い部材１２２，１２１端を超える位置まで延びる庇状鍔１２３，１２４が形成されている。本例では、一方の庇状鍔１２３が筐体枠１００側に屈曲した状態で延び、他方の庇状鍔１２４はそのまま真っ直ぐ延び、両方の庇状鍔１２３，１２４が互いにオーバーラップした状態で配置され、矢印Ｗで示す外部からの視線を遮る目隠し部１２５として作用するようになっている。
この結果、特定色の外装カバー１１１の覆い部材１２１，１２２の隣接部位を外部から見たとしても、庇状鍔１２３，１２４からなる目隠し部１２５にて筐体枠１００の表面が隠されるため、覆い部材１２１，１２２の隣接部位から筐体枠１００の表面が露出するほとんどない。
【００１６】
(２)隙間処理２
仮に、特定色の外装カバー１１１の複数の覆い部材１２１，１２２の隣接部位に隙間１３０が形成される場合であっても、例えば図６(ｂ)に示すように、覆い部材１２１，１２２の隙間１３０に対応した筐体枠１００の表面に目隠し塗料１２６を塗布するようにすれば、この目隠し塗料１２６による塗膜が目隠し部１２５として実質的に作用する。
ここで、目隠し塗料１２６としては、特定色の外装カバー１１１の色相と相違しない色(例えば青色塗料や黒色塗料)の塗料による塗膜を形成するようにすればよい。
(３)隙間処理３
一方、非特定色の外装カバー１１２としては、図５及び図６(ｃ)に示すように、装置筐体２１のある一面に対し複数の覆い部材１３１，１３２を隣接配置することがあり得る。
このとき、複数の覆い部材１３１，１３２間に隙間１３０が形成されたとしても、非特定色の外装カバー１１２の色は筐体枠１００と相違しない色相であることから、仮に、覆い部材１３１，１３２の隙間１３０から筐体枠１００の表面が露出した場合でも、この露出部分が目立って外観品質の低下につながる懸念は少ない。
【００１７】
次に、特定色の外装カバー１１１及び非特定色の外装カバー１１２の止め具を用いた取付構造について説明する。
(１)止め具処理１
特定色の外装カバー１１１は、図５及び図７(ａ)に示すように、止め具１５０を用いて筐体枠１００に固定されるが、本例では、特定色の外装カバー１１１は止め具１５０の頭部１５１が収容される取付凹部１６０を形成し、この取付凹部１６０の底に止め具１５０のネジ部１５２が挿入可能な挿入孔１６１を開設し、止め具１５０としては特定色の外装カバー１１１と相違しない色相の色(青色、黒色)のものを選択するようにすればよい。尚、取付対象である筐体枠１００には止め具１５０のネジ部１５２が嵌め込まれる雌ねじ部１６２が予め形成されている。
このような取付構造によれば、特定色の外装カバー１１１の止め具１５０は、その頭部１５１が取付凹部１６０内に収容され、そのネジ部１５２が取付凹部１６０の挿入孔１６１を通じて筐体枠１００の雌ねじ部１６２に嵌め込まれる。このとき、止め具１５０の頭部１５１が特定色の外装カバー１１１の外部から目視可能であるが、この止め具１５０が特定色の外装カバー１１１と相違しない色相の色であるため、特定色の外装カバー１１１の領域内で止め具１５０の存在はそれほど目立たない。
【００１８】
(２)止め具処理２
特定色の外装カバー１１１は、図５及び図７(ｂ)に示すように、筐体枠１００に止め具１５５を介して固定されている。
本例では、特定色の外装カバー１１１は止め具１５５の頭部１５６が収容される取付凹部１６０を形成し、この取付凹部１６０の底に止め具１５５のネジ部１５７が挿入可能な挿入孔１６１を開設し、筐体枠１００の雌ねじ部１６２に前記ネジ部１５７を嵌め込むようにしたものであるが、図７(ａ)と異なり、止め具１５５そのものは例えば銀色ネジであり、この止め具１５５の頭部１５６に特定色の外装カバー１１１と相違しない色相の色(例えば青色、黒色)の目隠し塗料１５８を塗布するようにしたものである。
本態様によれば、特定色の外装カバー１１１が止め具１５５を介して筐体枠１００に固定されたとしても、止め具１５５の頭部１５６は目隠し塗料１５８にて隠されてしまうため、止め具１５５の頭部１５６が直接露出することはなく、特定色の外装カバー１１１の領域内で止め具１５５が目立つ事態はほとんどない。
(３)止め具処理３
非特定色の外装カバー１１２は、例えば図５及び図７(ｃ)に示すように、止め具１５５を介して筐体枠１００に固定される。
このとき、非特定色の外装カバー１１２は止め具１５５の頭部１５６が収容される取付凹部１６０を形成し、この取付凹部１６０の底に止め具１５５のネジ部１５７が挿入可能な挿入孔１６１を開設し、筐体枠１００の雌ねじ部１６２に前記ネジ部１５７を嵌め込むようにしたものであるため、例えば銀色ネジ等の止め具１５５の頭部１５６が非特定色の外装カバー１１２の領域内で取付凹部１６０には収容されているものの、表面に露出した状態にある。
しかしながら、この止め具１５５は非特定色の外装カバー１１２と相違しない色相の色を有するものであるため、非特定色の外装火バー１１２の領域内で止め具１５５の存在が色彩的に目立つ懸念は少ない。
【００１９】
次に、本実施の形態における開閉扉２５の構造について説明する。
本実施の形態では、開閉扉２５は、特定色の外装カバー１１１と非特定色の外装カバー１１２とに跨って構成されている。
ここで、開閉扉２５は、図３及び図８(ａ)(ｂ)〜図１０に示すように、装置筐体２１の扉開口２６(図３参照)の下縁部に水平方向に延びる回転軸２００と、この回転軸２００に固定されて回転軸２００と共に回転する略矩形状の扉基材２１０と、この扉基材２１０の外側のうちＬ字状部分を除く部分に固定され且つこの扉基材２１０よりも上方に突出配置される扉外装材２２０とを備え、本例では、扉基材２１０が非特定色の外装カバー１１２の一部を構成し、また、扉外装材２２０が特定色の外装カバー１１１の一部を構成している。
そして、本例では、回転軸２００に対して扉基材２１０に対して扉外装材２２０を位置決めする複数の位置決め部２３０が設けられ、また、回転軸２００に対して複数の位置決め部２３０よりも離間し且つ扉基材２１０に対して扉外装材２２０を止め具２４１にて固定する複数の固定部２４０が設けられ、更に、回転軸２００からの位置が位置決め部２３０に比べて固定部２４０寄りになるように扉外装材２２０には開閉用把手２５０が設けられている。
【００２０】
特に、本例では、位置決め部２３０は、扉外装材２２０の下縁部に扉面方向に沿って下方に延びる位置決め爪２３１を複数(本例では３つ)設け、扉基材２１０の扉外装材２２０固定部位下部には各位置決め爪２３１が挿入される矩形状の位置決め孔２３２を設けたものである。
また、固定部２４０は、扉基材２１０の上部に複数(本例では３つ)の取付孔２４２を開設すると共に、扉外装材２２０の内側には各取付孔２４２に対応して雌ねじ部２４３を開設し、扉基材２１０の内側から止め具２４１を取付孔２４２に挿入し且つ扉外装材２２０の雌ねじ部２４３にねじ込むことにより、扉基材２１０に対して扉外装材２２０を固定するものである。
更に、開閉用把手２５０は扉外装材２２０の縦方向縁部に設けられ、回転軸２００からの位置が固定部２４０の位置を含むように上下方向に延びている。尚、符号２５１は開閉用把手２５０と反対側に位置する扉基材２１０の縦方向縁部に設けられ、開閉扉２５の開閉操作時に補助的に用いられる補助開閉用把手である。
更にまた、本例では、図３に示すように、開閉扉２５の扉基材２１０と扉開口２６縁部との間には開度調整部材２７が連結されており、この開度調整部材２７と扉基材２１０との連結部位Ｐは回転軸２００に対する位置が位置決め部２３０よりも回転軸２００側に接近配置されている。尚、開度調整部材２７は屈曲可能なロッドでもよいし、あるいは、紐状のストラップ構成でもよい。
【００２１】
次に、本実施の形態の開閉扉の構成方法について説明する。
扉基材２１０に対して扉外装材２２０を固定するには、先ず、扉基材２１０の位置決め孔２３２に扉外装材２２０の位置決め爪２３１を挿入することで、扉基材２１０に対して扉外装材２２０を位置決めし、しかる後、扉基材２１０の取付孔２４２に止め具２４１を挿入して扉外装材２２０に止め具２４１をねじ込むことにより、扉基材２１０に対して扉外装材２２０を固定するようにすればよい。
この状態において、開閉扉２５を開閉操作するに当たり、開閉用把手２５０を持って操作したとしても、この開閉用把手２５０は回転軸２００からの位置が固定部２４０を含む位置に配置されているため、扉基材２１０に対して扉外装材２２０が浮き上がることはなく、扉基材２１０と扉外装材２２０とは一体的に開閉動作するようになっている。
また、本例では、位置決め部２３０は、固定部２４０の固定方向と交差する方向に対して扉基材２１０と扉外装材２２０とを位置決めしていることから、開閉扉２５を開閉操作させたとしても、位置決め部２３０が外れる懸念はほとんどない。
【００２２】
◎実施の形態２
図１１〜図１３は実施の形態２で用いられる開閉扉の要部を示す。
同図において、開閉扉２５は、実施の形態１と同様に、回転軸２００、扉基材２１０及び扉外装材２２０を備えている。
本実施の形態において、扉基材２１０は略矩形状部分から上方に突出し且つ片側に傾斜した突出部２１１を有する形状になっており、扉外装材２２０は扉基材２１０の略Ｌ字状部分を除く前記突出部２１１を含む部分に対応して固定される。
本例では、位置決め部２３０は、扉外装材２２０の下縁部に扉面方向に沿って下方に延びる位置決め爪２３１を複数(本例では４つ)設け、扉基材２１０の扉外装材２２０固定部位下部には各位置決め爪２３１が挿入される矩形状の位置決め孔２３２を設けたものである。
また、固定部２４０は、扉基材２１０の突出部２１１の上部に複数(本例では２つ)の取付孔２４２を開設すると共に、扉基材２１０の矩形状部分の一部に取付孔２４４を開設し、各取付孔２４２，２４４に対応して雌ねじ部２４３を開設したものである。尚、本例では、取付孔２４４は上下方向に延びる長孔になっており、扉基材２１０に対する扉外装材２２０の配設位置を微調整できるようになっている。
更に、開閉用把手２５０は扉外装材２２０の縦方向縁部に設けられ、回転軸２００からの位置が固定部２４０の取付孔２４２位置と位置決め部２３０との中間に位置するようになっている。尚、符号２５１は実施の形態１と同様な補助開閉用把手である。
そして、本実施の形態では、扉基材２１０の突出部２１１の前後及び扉外装材２２０の縦方向前後部の略中央には補助規制部２６０が設けられている。この補助規制部２６０は扉外装材２２０には下方側に鉤状に延びる規制爪２６１を設け、一方、扉基材２１０側には前記規制爪２６１が抱き込むように引っ掛かる規制孔２６２を設け、この規制爪２６１と規制孔２６２との係わりによって扉基材２１０に対する扉外装材２２０の浮き上がりを防止するようになっている。
また、本例でも、実施の形態１と同様に、開閉扉２５の扉基材２１０と扉開口２６縁部との間には開度調整部材２７(図３参照)が連結されている。しかしながら、本実施の形態では、実施の形態１と異なり、開度調整部材２７と扉基材２１０との連結部位Ｐは回転軸２００に対する位置が位置決め部２３０よりも離間配置されている。
【００２３】
次に、本実施の形態での開閉扉の構成方法について説明する。
扉基材２１０に対して扉外装材２２０を固定するには、先ず、扉基材２１０の位置決め孔２３２に扉外装材２２０の位置決め爪２３１を挿入すると共に、扉基材２１０の規制孔２６２に扉外装材２２０の規制爪２６１を引っ掛けることにより、扉基材２１０に対して扉外装材２２０を位置決めし、しかる後、扉基材２１０の取付孔２４２、２４４に止め具２４１を挿入して扉外装材２２０に止め具２４１をねじ込むことにより、扉基材２１０に対して扉外装材２２０を固定するようにすればよい。
この状態において、開閉扉２５を開閉操作するに当たり、開閉用把手２５０を持って操作した場合、この開閉用把手２５０は回転軸２００からの位置が固定部２４０の取付孔２４２と位置決め部２３０との中間にあるため、仮に補助規制部２６０を設けない態様では、取付孔２４２の位置から開閉用把手２５０の位置が離間するにつれて扉基材２１０に対して扉外装材２２０が浮き上がる懸念があり得る。
しかしながら、本実施の形態では、補助規制部２６０にて扉基材２１０の上下方向中間部にて扉外装材２２０の浮き上がりを規制しているため、扉基材２１０に対して扉外装材２２０が浮き上がることはなく、扉基材２１０と扉外装材２２０とは一体的に開閉動作するようになっている。
また、本例では、実施の形態１と異なり、開度調整部材２７と扉基材２１０との連結部位Ｐは回転軸２００に対する位置が位置決め部２４０よりも離間配置されているため、開閉扉２５開放時に開度調整部材２７に引っ張り力が作用すると、この引っ張り力の作用に伴って、位置決め部２３０の位置決め爪２３１が位置決め孔２３２に嵌り込む方向に押し付けられる。このため、実施の形態１に比べて、位置決め部２３０による位置決め爪２３１が位置決め孔２３２に対してより外れ難い点で好ましい。
【符号の説明】
【００２４】
１…回転軸，２…扉基材，３…扉外装材，４…一位置決め部，５…固定部，６…開閉用把手，１０…開閉扉，１１…装置筐体，１２…扉開口，１３…画像形成要素，１３ａ…作像要素，１３ｂ…画像読取要素，１４…記録材
【図１】
2011022521.tif 000003
【図２】
2011022521.tif 000004
【図３】
2011022521.tif 000005
【図４】
2011022521.tif 000006
【図５】
2011022521.tif 000007
【図６】
2011022521.tif 000008
【図７】
2011022521.tif 000009
【図８】
2011022521.tif 000010
【図９】
2011022521.tif 000011
【図１０】
2011022521.tif 000012
【図１１】
2011022521.tif 000013
【図１２】
2011022521.tif 000014
【図１３】
2011022521.tif 000015